(57)【要約】【課題】  カーテンに発光ダイオードを配置してイルミネーションを行う場合に、発光ダイオードや配線、電源等により、イルミネーションを行っていないときのカーテンの見栄えや、イルミネーションの見栄えが損なわれないようにする。【解決手段】  発光ダイオード３を、発光部３ａ側がカーテン１の表（おもて）面側に位置し、リード部３ｂ側がカーテンの裏面側に位置する形態で配置する。電源として電池４を使用し、これらをカーテン１の下端の折り返し部１ａの左右両端に配置する。配線構造として導電性布５ａ〜５ｆを使用し、これらを全てカーテン１の裏面に縫着し、導電性布５ｅについては面ファスナーによりカーテン裏面に接着離脱可能として、回路のスイッチとして利用する。【選択図】  図２
2005296201.tif 000002
【特許請求の範囲】
【請求項１】
１又は２以上の発光ダイオードが、発光部側がカーテンの表面側に位置しリード部側がカーテンの裏面側に位置する形態で配置され、カーテンの裏面側に電池が配置され、カーテンの裏面側において前記リード部と電池の間に配線が敷設され、前記発光ダイオードに通電可能となっていることを特徴とする発光ダイオードを備えたカーテン。
【請求項２】
前記電池が、カーテンの下端の左右両方の端部又は片側の端部に配置されていることを特徴とする請求項１に記載された発光ダイオードを備えたカーテン。
【請求項３】
前記電池が、前記カーテンの下端の折り返しの中に配置されていることを特徴とする請求項２に記載された発光ダイオードを備えたカーテン。  
【請求項４】
前記配線の一部が、前記カーテンの下端の折り返しの中に敷設されていることを特徴とする請求項３に記載された発光ダイオードを備えたカーテン。
【請求項５】
前記配線の全部又は大部分が導電性布からなり、それがカーテンの裏面に取り付けられていることを特徴とする請求項１に記載された発光ダイオードを備えたカーテン。
【請求項６】
前記配線にスイッチが介在しており、該スイッチはカーテンの裏面に対して面ファスナーにより接着離脱自在な導電性布からなり、該導電性布を接着離脱することによりオン−オフを行うものであることを特徴とする請求項５に記載された発光ダイオードを備えたカーテン。
【請求項７】
前記電池が、カーテンの下端の左右両方の端部又は片側の端部に設置されていることを特徴とする請求項５又は６に記載された発光ダイオードを備えたカーテン。
【請求項８】
前記電池が、前記カーテンの下端の折り返しの中に配置されていることを特徴とする請求項７に記載された発光ダイオードを備えたカーテン。  
【請求項９】
前記配線の一部が、前記カーテンの下端の折り返しの中に敷設され、それが導電性布からなることを特徴とする請求項８に記載された発光ダイオードを備えたカーテン。
【発明の詳細な説明】
【技術分野】
【０００１】
本発明は、カーテンに発光ダイオードを配置して、イルミネーション又は電光表示等が行えるようにしたカーテンの改良に関する。
【背景技術】
【０００２】
イルミネーションのために複数個の発光ダイオードを配置したカーテンが、下記特許文献１に開示されている。特許文献１に記載されたカーテンでは、カーテン布に織り込んだ接続ケーブルに複数個の発光ダイオードを接続し、前記接続ケーブルをまとめてカーテン下端に設置したコネクタに接続し、一方、電源回路、発振回路及び明るさ調整回路からなるコントローラがカーテンとは別に用意され、前記コントローラから伸びるケーブルがコネクタに接続し、該コネクタが前記カーテン側のコネクタに連結している。コントローラは外部電源に接続され、前記発光ダイオードを点滅発光させあるいは発光強度の調整を行う。
【０００３】
【特許文献１】特開平７−３１２１０９号公報
【発明の開示】
【発明が解決しようとする課題】
【０００４】
前記カーテンには次のような問題点がある。
（１）発光ダイオードの全体（リード部を含む）がカーテンの表（おもて）面に取り付けられているため、発光ダイオードの発光部以外の箇所も見えてしまう。これにより、特にイルミネーションを行っていないとき（発光ダイオードを発光させていないとき）のカーテンの見栄えが損なわれ、またイルミネーションを行うとき（発光ダイオードを発光させているとき）の見栄えも損なわれる。
（２）カーテンに接続ケーブルが織り込まれ、当然それがカーテンの表面に露出するため、特にイルミネーションを行っていないときのカーテン自体の見栄えが損なわれ、またイルミネーションを行うときの見栄えも損なわれる。
（３）外部電源を利用しているので、イルミネーションを行っているとき、カーテンがコードを引きずり、またコードの重みでカーテンの左右のバランスが崩れてゆがみ、カーテン自体の見栄えも、イルミネーションの見栄えも損なわれる。
（４）接続ケーブルがカーテンに織り込まれているので、カーテン布自体が有する質感が損なわれる。
【０００５】
本発明は、発光ダイオードを取り付けたカーテンに関し、このような問題点を解決するためになされたもので、イルミネーションを行っていないときのカーテンの見栄えと、イルミネーションを行ているときの見栄えを改善することを主たる目的とする。また、カーテン布自体が有する質感が損なわれないようにすることを他の目的とする。
【課題を解決するための手段】
【０００６】
本発明において、発光ダイオードを備えたカーテンは、１又は２以上の発光ダイオードが、発光部側がカーテンの表（おもて）面側に位置しリード部側がカーテンの裏面側に位置する形態で配置され、カーテンの裏面側に電池が配置され、カーテンの裏面側において前記リード部と電池の間に配線が敷設され、前記発光ダイオードに通電可能となっていることを特徴とする。なお、本発明においてカーテンとは、窓に配置するいわゆるカーテン（窓掛け）だけでなく、幕や緞帳又は類似の布製品を含む。
【０００７】
上記カーテンにおいて、前記電池は、カーテンの下端の左右両方の端部又は片側の端部に配置されていることが望ましく、特に前記カーテンの下端の折り返しの中（表面側に露出していないという意味で、折り返しの中もカーテンの裏面側に含まれる）に配置されていることが望ましい。なお、電池を片側の端部にのみ配置するときは、他方の端部に同等の重量の錘を配置することが望ましい。
また、上記カーテンにおいて、前記配線の全部又は大部分を導電性布、例えば銀メッキ繊維やカーボンを練り込んだ繊維で織った布で構成することができる。この導電性布は、カーテンの裏面側に貼り付けたり、縫着したりして取り付けることができる。導電性布を含む配線の少なくとも一部が、前記カーテンの下端の折り返しの中に敷設されていることが望ましい。
【発明の効果】
【０００８】
本発明のカーテンによれば、カーテンの表面に出ているのは発光ダイオードの発光部のみで、電池や配線等は裏面に配置されているから、イルミネーションを行っていないときのカーテンの見栄えが損なわれず、かつイルミネーションを行っているときの見栄えも損なわれることがない。そして、電源として電池を利用することから、従来例のように外部電源や制御用のコードを引きずることがなく、該コードの重みによりカーテンがゆがむこともないので、カーテン及びイルミネーションの見栄えが損なわれない。
【０００９】
上記カーテンにおいて、電源の電池をカーテンの下端の左右両方の端部に配置した場合、該電池はカーテンの形状を整える錘として機能する。この種の錘は、一般にカーテン下端の左右端部の折り返しの中に配置されるので、電池を当該箇所に配置すると錘の代わりに用いることができる。電池を前記折り返しに中に配置する場合、配線の相当部分を前記折り返しの中に敷設し、そこから上方に配線を伸ばすことができ、裏面に露出する配線を減らすことができる。これは、配線が指や他のものに引っ掛かって断線する機会を減らすことにつながる。
また、上記カーテンにおいて、配線の全部又は一部を導電性布で構成した場合、該導電性布は通常用いられる導電ケーブルに比べてカーテン布の質感に近く、かつカーテン布に貼り付けたり縫着したりすることができるので、カーテン布の質感が損なわれにくい。さらにカーテン布の面にぴったり沿って敷設できるので、指や他のものに引っ掛かりにくく、断線する機会を減らすことにつながる。
【発明を実施するための最良の形態】
【００１０】
以下、図１〜図４を用いて、本発明に係る発光ダイオードを備えたカーテンについて、具体的に説明する。
図１に示すカーテン１，１は、窓等に左右開閉自在に配置される一対のカーテンであり、表（おもて）面の中央にホタルのアップリケ２が縫着され、その腹端（シリ）に発光ダイオード３の発光部３ａが覗いている。図２〜図４に示すように、発光ダイオード３は、発光部３ａ側がカーテン１の表面側に位置し、リード部３ｂ側がカーテンの裏面側に位置する形態で配置されている。
カーテン１の下端には、折り返し部１ａが形成され、該折り返し部１ａの中の両端に電池４，４が配置され、かつ電池４，４のプラス極同士を連結する配線としての導電性布５ａ及びマイナス極同士を連結する配線としての導電性布５ｂが左右方向に沿って縫着されている。また、各導電性布５ａ，５ｂから上方に向けて、配線としての導電性布５ｃ，５ｄが伸びている。これらの導電性布５ｃ，５ｄもカーテン１の裏面に縫着されている。なお、導電性布５ａと導電性布５ｄは適宜の手段で互いに電気的に絶縁されている。
【００１１】
導電性布５ａの上端には、導電性布５ｅの下端が縫い付けられ、互いに導通している。この導電性布５ｅには図示しない小型の面ファスナー（オス又はメス）が取り付けられ、一方、カーテン１の裏面に前記面ファスナーに対向する面ファスナー（メス又はオス）が取り付けられ、該導電性布５ｅはカーテン１の裏面に接着するようになっている。また、導電性布５ｅの上方位置には、導電性布５ｆがカーテン１の裏面に縫着され、前記導電性布５ｅをカーテン１の裏面に接着したとき、導電性布５ｅ，５ｆが重なり、互いに導通するようになっている。導電性布５ｅを図４に示すようにカーテン１の裏面から剥がしたとき、導電性布５ｅ，５ｆの導通がなくなるから、結局、導電性布５ｅは配線回路のスイッチの機能を有することになる。
さらに、導電性布５ｄ，５ｆの先端に発光ダイオード３のリード部３ｂが接触している。
【００１２】
上記配線構造において、導電性布５ｅをカーテン１の裏面に接着してスイッチを入れると、発光ダイオード３が発光し、あたかもアップリケ２のホタルが発光しているように見える。
なお、上記配線構造には種々の改変を加えることができる。例えば、（１）上記配線構造では配線を全て導電性布５ａ〜５ｆにより構成したが、一部又は全部を電線や導電板に代えることも可能であり、（２）上記配線構造ではスイッチとして面ファスナーによりカーテンの裏面に接着離脱可能な導電性布５ｅを用いたが、これを他の形態のスイッチに代えることも可能であり、（３）上記配線構造では電池４をカーテン１の下端左右に配置したが、他の箇所に配置することも可能であり、（４）発光ダイオード３の発光の点滅や発光強度を制御するためのコントローラを配線の適宜箇所に設置することも可能であり、（５）上記のカーテン１では、１つのカーテンについて発光ダイオード３を１個だけ使用したが、イルミネーションの形態に応じて、複数個の発光ダイオードを適宜位置に配置することも任意である。
【００１３】
さらに、本発明は、装飾用のイルミネーションとしての用途だけでなく、発光ダイオードの発光を電光表示として利用することもできる。例えば、発光ダイオードを幕に配置し、発光ダイオードの発光により当該箇所が非常口であること、あるいは非常口の方向を示すようにすることが考えられる。
【図面の簡単な説明】
【００１４】
【図１】本発明に係るカーテンの正面図である。
【図２】配線構造が分かるようにした拡大図である。
【図３】その背面図である。
【図４】図３のＡ−Ａ断面を模式的に描いた断面図である。
【符号の説明】
【００１５】
１  カーテン
２  アップリケ
３  発光ダイオード
３ａ  発光ダイオードの発光部
３ｂ  発光ダイオードのリード部
４  電池
５ａ〜５ｆ  導電性布（配線）
【図１】
2005296201.tif 000003
【図２】
2005296201.tif 000004
【図３】
2005296201.tif 000005
【図４】
2005296201.tif 000006